(57)【要約】【課題】梁や柱等の躯体構成部材を引き抜こうとする力が極めて大きい場合でも十分に耐えることができ、躯体構成部材どうしを高い強度で接合することができる木造建築物用の接合金具及び木造建築物における木材の接合構造を提供する。【解決手段】一対の張出部４４の左側面４５は張出部収容部７１、７３の内側面に面どうしで当接しており、しかも、左側面４５の面積は、梁Ｒの端面の面積の約１５パーセントに設定されているので、柱Ｓから梁Ｒを引き抜こうとする力に対し抵抗力が発揮できて、この引き抜こうとする力が極めて大きい場合でも十分に耐えることが可能である。また、一対の張出部４４はインサートナット５０、雄ネジ８１、雄ネジ８３、ナット４９等によって差し込み部２０、接合板３１と一体に連結された状態で梁Ｒに強固に固定されているので、梁側本体部３が梁Ｒから外れるのを完全に防止することができる。【選択図】        図９
2014163174.tif 000002
【特許請求の範囲】
【請求項１】
木造建築物の一方の躯体構成部材の端面を他方の躯体構成部材に接合させて接合する木造建築物用の接合金具であり、第一本体部を前記一方の躯体構成部材に固定する第一固定手段と、第二本体部を他方の躯体構成部材に固定する第二固定手段と、前記第一本体部と第二本体部とを互いに接合する本体部連結手段とを有する木造建築物用の接合金具において、
前記第一本体部は一方の躯体構成部材に形成された切り込み部へ差し込まれて前記切り込み部内に位置する差し込み部を有し、
前記差し込み部に固定され前記端面に沿う方向へ張り出して前記切り込み部の前記端面に対向する側の内側面に当接する平面部を有する張出部を備えた木造建築物用の接合金具であって、
前記張出部は前記差し込み部に対して別部材であり、前記張出部を前記差し込み部に固定する張出部固定手段を具備して、前記差し込み部は前記一方の躯体構成部材の端面に形成された前記切り込み部の端面側から差し込まれ、且つ前記張出部材は前記一方の躯体構成部材の側面に形成された前記切り込み部の側面側から入れられて、前記張出部固定手段によって固定されることを特徴とする木造建築物用の接合金具。
【請求項２】
請求項１に記載した木造建築物用の接合金具において、張出部の平面部の面積は一方の躯体構成部材の端面の面積の１０パーセント〜４０パーセントの範囲に設定されていることを特徴とする木造建築物用の接合金具。
【請求項３】
請求項１または２に記載した木造建築物用の接合金具において、張出部は複数個、備えられていることを特徴とする木造建築物用の接合金具。
【請求項４】
請求項１から３のいずれかに記載した木造建築物用の接合金具において、張出部は２個を一組として備えられており、一組を構成する張出部は一方の躯体構成部材の端面に沿う方向の面積が同じで、且つ前記端面に沿う同一面内において対称となる位置に備えられていることを特徴とする木造建築物用の接合金具。
【請求項５】
請求項３または４に記載した木造建築物用の接合金具において、張出部どうしを互いに接合する張出部連結手段が備えられていることを特徴とする木造建築物用の接合金具。
【請求項６】
請求項５に記載した木造建築物用の接合金具において、張出部連結手段は張出部を一方の躯体構成部材に固定する機能を兼ね備えていることを特徴とする木
造建築物用の接合金具。
【請求項７】
請求項１から６のいずれかに記載した造建築物用の接合金具において、第一固定手段は一方の躯体構成部材の側面に接合し、且つ差し込み部に固定される接合板を有していることを特徴とする木造建築物用の接合金具。
【請求項８】
請求項７に記載した木造建築物用の接合金具において、接合板には雄ネジ挿通穴が形成され、前記雄ネジ挿通穴に雄ネジが挿通され、且つ前記雄ネジは一方の躯体構成部材にねじ込まれていることを特徴とする木造建築物用の接合金具。
【請求項９】
請求項１から８のいずれかに記載した木造建築物用の接合金具によって連結された一方の躯体構成部材が柱であり、他方の躯体構成部材が梁であることを特徴とする木造建築物における柱と梁の連結構造。
【請求項１０】
請求項１から８のいずれかに記載した木造建築物用の接合金具によって連結された一方の躯体構成部材が柱であり、他方の躯体構成部材が基礎に固定される柱脚構造用金具であることを特徴とする木造建築物における柱と柱脚構造用金具の連結構造。
【発明の詳細な説明】
【技術分野】
【０００１】
本発明は木造建築物用の接合金具及び木造建築物における木材の接合構造に関するものである。
【背景技術】
【０００２】
木造建築物において、躯体構成部材の例えば梁と柱を接合する場合には、一例として特許文献１に記載される木質構造の剛接合金物が使用される。即ち、梁と柱は剛接合金物を介して互いに接合され、剛接合金物は梁の側面から差し込まれるボルトによって固定されている。
【先行技術文献】
【特許文献】
【０００３】
【特許文献１】特開２０１２−１８８８１６号公報
【発明の概要】
【発明が解決しようとする課題】
【０００４】
しかしながら、上記従来の剛接合金物は、棒状のボルトだけで梁に固定されているため、梁を柱から引き抜こうとする力が大きな場合、ボルトが破断してしまい梁が柱から外れてしまうおそれがあるという問題がある。
特に、校舎等の大型の木造建築物の場合、梁、柱等にかかる力が極めて大きいため、ボルトによる固定では梁が柱から外れてしまうのを防止することができない。
【０００５】
本発明は上記従来の問題に着目して為されたものであり、梁や柱等の躯体構成部材を引き抜こうとする力が極めて大きい場合でも十分に耐えることができ、躯体構成部材どうしを高い強度で接合することができる木造建築物用の接合金具及び木造建築物における木材の接合構造の提供を、その目的とする。
【課題を解決するための手段】
【０００６】
本発明は上記課題を解決するためになされたものであり、請求項１の発明は、木造建築物の一方の躯体構成部材の端面を他方の躯体構成部材に接合させて接合する木造建築物用の接合金具であり、第一本体部を前記一方の躯体構成部材に固定する第一固定手段と、第二本体部を他方の躯体構成部材に固定する第二固定手段と、前記第一本体部と第二本体部とを互いに接合する本体部連結手段とを有する木造建築物用の接合金具において、
前記第一本体部は一方の躯体構成部材に形成された切り込み部へ差し込まれて前記切り込み部内に位置する差し込み部を有し、
前記差し込み部に固定され前記端面に沿う方向へ張り出して前記切り込み部の前記端面に対向する側の内側面に当接する平面部を有する張出部を備えた木造建築物用の接合金具であって、
前記張出部は前記差し込み部に対して別部材であり、前記張出部を前記差し込み部に固定する張出部固定手段を具備して、前記差し込み部は前記一方の躯体構成部材の端面に形成された前記切り込み部の端面側から差し込まれ、且つ前記張出部材は前記一方の躯体構成部材の側面に形成された前記切り込み部の側面側から入れられて、前記張出部固定手段によって固定されることを特徴とする木造建築物用の接合金具である。
【０００７】
請求項２の発明は、請求項１に記載した木造建築物用の接合金具において、張出部の平面部の面積は一方の躯体構成部材の端面の面積の１０パーセント〜４０パーセントの範囲に設定されていることを特徴とする木造建築物用の接合金具である。
【０００８】
請求項３の発明は、請求項１または２に記載した木造建築物用の接合金具において、張出部は複数個、備えられていることを特徴とする木造建築物用の接合金具である。
【０００９】
請求項４の発明は、請求項１から３のいずれかに記載した木造建築物用の接合金具において、張出部は２個を一組として備えられており、一組を構成する張出部は一方の躯体構成部材の端面に沿う方向の面積が同じで、且つ前記端面に沿う同一面内において対称となる位置に備えられていることを特徴とする木造建築物用の接合金具である。
【００１０】
請求項５の発明は、請求項３または４に記載した木造建築物用の接合金具において、張出部どうしを互いに接合する張出部連結手段が備えられていることを特徴とする木造建築物用の接合金具である。
【００１１】
請求項６の発明は、請求項５に記載した木造建築物用の接合金具において、張出部連結手段は張出部を一方の躯体構成部材に固定する機能を兼ね備えていることを特徴とする木
造建築物用の接合金具である。
【００１２】
請求項７の発明は、請求項１から６のいずれかに記載した造建築物用の接合金具において、第一固定手段は一方の躯体構成部材の側面に接合し、且つ差し込み部に固定される接合板を有していることを特徴とする木造建築物用の接合金具である。
【００１３】
請求項８の発明は、請求項７に記載した木造建築物用の接合金具において、接合板には雄ネジ挿通穴が形成され、前記雄ネジ挿通穴に雄ネジが挿通され、且つ前記雄ネジは一方の躯体構成部材にねじ込まれていることを特徴とする木造建築物用の接合金具である。
【００１４】
請求項９の発明は、請求項１から８のいずれかに記載した木造建築物用の接合金具によって連結された一方の躯体構成部材が柱であり、他方の躯体構成部材が梁であることを特徴とする木造建築物における柱と梁の連結構造である。
【００１５】
請求項１０の発明は、請求項１から８のいずれかに記載した木造建築物用の接合金具によって連結された一方の躯体構成部材が柱であり、他方の躯体構成部材が基礎に固定される柱脚構造用金具であることを特徴とする木造建築物における柱と柱脚構造用金具の連結構造である。
【発明の効果】
【００１６】
本発明の木造建築物用の接合金具及び木造建築物における木材の接合構造によれば、梁や柱等の躯体構成部材を引き抜こうとする力が極めて大きい場合でも十分に耐えることができ、躯体構成部材どうしを高い強度で接合することが可能となる。
【図面の簡単な説明】
【００１７】
【図１】本発明の第一の実施の形態に係る木造建築物用の接合金具の分解斜視図である。
【図２】図１の木造建築物用の接合金具の柱側本体部が柱に取付けられている状態を示す断面図である。
【図３】図１の木造建築物用の接合金具を取り付けるための梁の溝の形状を説明するための斜視図である。
【図４】図１の木造建築物用の接合金具の張出部を梁に取付ける方法を説明するための断面図である。
【図５】図１の木造建築物用の接合金具の張出部を梁に取付ける方法を説明するための断面図である。
【図６】図１の木造建築物用の接合金具の接合板を梁に取付ける方法を説明するための断面図である。
【図７】図１の木造建築物用の梁側本体部を梁に取り付けた状態を示す断面図である。
【図８】図１の木造建築物用の梁側本体部を梁にボルトで固定する方法を説明するための斜視図である。
【図９】図１の木造建築物用の梁側本体部を梁に取り付けた状態を示す斜視図である。
【図１０】柱に取付けられた柱側本体部と梁に取付けられた梁側本体部とを連結する方法を説明するための断面図である。
【図１１】図１の木造建築物用の接合金具によって柱と梁が接合されている状態を示す断面図である。
【図１２】図１の木造建築物用の接合金具によって柱と梁が接合されている状態を示す斜視図である。
【図１３】本発明の第二の実施の形態に係る木造建築物用の接合金具の分解斜視図である。
【図１４】図１３の木造建築物用の接合金具を柱に取付ける方法を説明するための断面図である。
【図１５】図１３の木造建築物用の接合金具が柱に取付けられた状態を示す断面図である。
【図１６】図１３の木造建築物用の接合金具によって基礎と柱が接合されている状態を示す断面図である。
【発明を実施するための形態】
【００１８】
本発明の第一の実施の形態に係る木造建築物用の接合金具１を図面にしたがって説明する。木造建築物用の接合金具１は一方の躯体構成部材としての梁Ｒと他方の躯体構成部材としての柱Ｓとを接合するものであり、第一本体部としての梁側本体部３と第二本体部としての柱側本体部２等から構成されている。
柱側本体部２の構成について図１、２にしたがって説明する。なお、左右方向、前後方向及び上下方向をいうときは図１を基準とする。
符号４は柱当接板を示し、この柱当接板４には上下方向に間隔をあけて左方向に突出する２つの凸部４ａが形成されている。凸部４ａにはボルト挿通穴５が形成されている（図２参照）。
柱当接板４の下端面には底板６が固着されており、この底板６は柱当接板４の右方向へ突出している。
【００１９】
符号７は一対の側板を示し、一対の側板７は柱当接板４の前後方向の両端面に固着されており、この一対の側板７は更に底板６に固着されている。一対の側板７の上端部にはボルト挿通穴９がそれぞれ形成されている。
以上のように柱側本体部２が構成されている。
一対の側板７の内面には一対の凸条１１が形成されており、この一対の凸条１１は前後方向に互いに間隔をあけて配置されている。一対の凸条１１は上下方向へ延びており、下方へいくにしたがって柱当接板４に近づく方向へ傾斜している。この凸条１１によって、凸条１１と柱当接板４との間に挿入部１３が構成されており、この挿入部１３は上方から下方へいくにしたがって幅寸法が徐々に小さくなっている。
【００２０】
符号１５はインサートナットを示し、このインサートナット１５は貫通する雌ネジ１６を有する長尺なほぼ円筒状を為しており、更にその外周面にはネジ山１７を有している。雌ネジ１６にはボルト１８が螺合される。
【００２１】
梁側本体部３の構成について説明する。
符号１９はＵ字型板を示し、このＵ字型板１９は図１において一点鎖線を境に右側の部分が差し込み部２０となっており、左側の部分が支持板２１となっている。差し込み部２０の上端部には４つの切り欠き２０ａが形成されている。
以上のように梁側本体部３が構成されている。
切り欠き２０ａは略等間隔に配置されており、４つの切り欠きにはナット２４がそれぞれ埋め込まれるようにして固着されており、ナット２４の上端面はＵ字型板１９の上端面と同じ高さとなっている。
【００２２】
Ｕ字型板１９の左端部には挿入板２２が固着されており、この挿入板２２は前後方向へ突出している。また、挿入板２２は上方から下方へいくにしたがって左方向へ傾斜している。
挿入板２２には突出板２３が固着されており、この突出板２３はＵ字型板１９に対応する位置に備えられている。突出板２３は上方から下方へいくに従って幅寸法が小さくなっており、左端面が垂直面となっている。
前述の一対の凸条１１、挿入板２２及び突出板２３によって本体部連結手段が構成されている。
【００２３】
差し込み部２０の下端面には接合板２５が固着されており、この接合板２５の右端部には大径穴２６と３つの大径穴２７が形成されている。大径穴２６は接合板２５の前後方向の中心部に備えられ、この大径穴２６の前後、右側には大径穴２７が配置されている。これらの大径穴２６、２７の内周面はすり鉢状となっている。
また、接合板２５には木ネジ挿通穴としての小径穴２９が多数形成されており、この小径穴２９は互いにある程度の間隔を開けて配置されている。これらの小径穴２９の内周面は大径穴２６、２７と同様にすり鉢状となっている。
【００２４】
符号３１は接合板を示し、この接合板３１は挿入板２２よりも左方向へ延びている。接合板３１には、接合板２５の大径穴２６、２７、小径穴２９に対応する位置に大径穴３３、３５、雄ネジ挿通穴としての小径穴３７がそれぞれ形成されている。更に、接合板３１には４つの大径穴３９が形成され、これらの大径穴３９はＵ字型板１９のナット２４と対応して配置されている。また、接合板３１の左端部には一対の小径穴４１が形成され、これらの小径穴４１は柱側本体部２の一対の側板７のボルト挿通穴９とそれぞれ対応している。
【００２５】
符号４２、４３は連結ブロックを示し、連結ブロック４２と連結ブロック４３は２個で一組となっている。この連結ブロック４２と連結ブロック４３は同じ構造を有しているため、連結ブロック４２を代表例として説明する。
符号４４は張出部を示し、この張出部４４はある程度の厚みを有する平板状に形成されている。張出部４４の平面部としての左側面４５の面積は、梁Ｒの端面の面積の約１５パーセントに設定されている。また、張出部４４には、上下方向に連通する連通穴４６が形成されており、この連通穴４６が前後方向の中心部に備えられている。
張出部４４には一対の雌ネジ穴４７が形成され、雌ネジ穴４７は連通穴４６を挟んで前後両側に配置されている。張出部４４の右側面には取付片４８が固定され、この取付片４８の上端面には切り欠き４８ａが形成されており、この切り欠き４８ａにはそれぞれナット４９が埋め込まれるようにして固着されている。取付片４８の上面とナット４９の上端面は、張出部４４の上端面と同じ高さとなっている。
【００２６】
符号５０はインサートナットを示し、このインサートナット５０は上下に長尺な略円筒状を成しており、上下に貫通する雌ネジ５１を有している。インサートナット５０の外周面にはネジ山５２が形成されている。
符号７９は短寸法の雄ネジ、符号８１は長寸法の雄ネジ、符号８３は短寸法の雄ネジ、符号８５は木ネジをそれぞれ示す。
ナット２４、接合板２５、３１、短寸法の雄ネジ７９、長寸法の雄ネジ８１、短寸法の雄ネジ８３及び木ネジ８５によって、梁側本体部３を梁Ｒに固定する第一固定手段が構成されている。
ボルト挿通穴５、インサートナット１５、ボルト１８及び図示しないナットによって、柱側本体部２を柱Ｓに固定する第二固定手段が構成されている。
ナット２４、接合板２５、３１、連通穴４６、雌ネジ穴４７、ナット４９、短寸法の雄ネジ７９、長寸法の雄ネジ８１、短寸法の雄ネジ８３によって、張出部４４を差し込み部２０に固定する張出部固定手段が構成されている。
【００２７】
柱Ｓについて説明する。
柱Ｓの右側面には柱当接板４がぴったり嵌まる形状の溝５３が形成されている。更に、溝５３に連なって凸部４ａが嵌まる形状の凹部５４が形成され、凹部５４から柱Ｓの裏面に連通する連通穴５５が形成されている。連通穴５５にはインサートナット１５がそれぞれ埋設されている。
【００２８】
図２によって柱側本体部２を柱Ｓに取付ける方法を説明する。
まず、柱側本体部２の一部を柱Ｓの端部に形成された溝５３に嵌め込み、柱当接板４の右側面と柱Ｓの右側面とを同じ高さとし、且つ挿入部１３が柱Ｓの右側面から突出する状態とする。
座金を通したボルト１８を一対の凸条１１の間からボルト挿通穴５へ挿通し、インサートナット１５に螺合する。そして、ボルト１８の柱Ｓの左側面から突出する部分に図示しないナットが螺合され、これにより柱側本体部２が柱Ｓに取付けられる。
【００２９】
梁Ｒについて説明する。
梁Ｒには図３、図４に示す形状の溝６１が形成されている。溝６１は柱側本体部収容部６３、切り込み部６５、接合板収容部６７、６９、張出部収容部７１、７３及びインサートナット収容部７５によって構成されており、これらは連通している。
柱側本体部収容部６３は梁Ｒの左端面側に形成されており、柱側本体部２にぴったり嵌まる形状を成している。
切り込み部６５は柱側本体部収容部６３から梁Ｒの右方向に延長され、略Ｕ字型を成している。切り込み部６５の上端部には幅広部７７が形成されており、この幅広部７７の幅寸法は差し込み部２０に固定されたナット２４の外径よりも僅かに大きく設定されている。
【００３０】
接合板収容部６７、６９は梁Ｒの上下面に形成されており、接合板収容部６７は下側の接合板２５がぴったり嵌まり、接合板収容部６９は上側の接合板３１がぴったり嵌まる形状を成している。
切り込み部６５の右端部側には張出部収容部７１、７３が形成されており、張出部収容部７１は接合板収容部６７の上側に備えられ、張出部収容部７３は接合板収容部６９の下側に備えられている。張出部収容部７１、７３は張出部４４がぴったり嵌まる形状となっている。
インサートナット収容部７５は張出部収容部７１、７３を梁Ｒ内で連通しており、このインサートナット収容部７５はインサートナット５０がぴったり嵌まり込む円柱形を成している。
【００３１】
図４から図９によって梁側本体部３を梁Ｒに取付ける方法について説明する。
図４に示すように、インサートナット５０をインサートナット収容部７５へねじ込む。そして、張出部４４をナット４９が下側を向く状態で、梁Ｒの下側面から張出部収容部７１に嵌め込む。
図５に示すように、差し込み部２０を切り込み部６５へ梁Ｒの左端面側から差し込む。なお、ナット２４は幅広部７７に収容される。また、接合板２５は下側の接合板収容部６７に収容され、梁Ｒの下側の側面に接合する状態となる。
次いで、皿頭タイプの短寸法の雄ネジ７９を接合板２５の３つの大径穴２７へそれぞれ挿通し、２つの雌ネジ穴４７、ナット４９にそれぞれ螺合させて、接合板２５と張出部４４とを連結する。
【００３２】
図６に示すように、張出部４４を梁Ｒの側面側（図６において上面側）から入れて張出部収容部７３に嵌め込む。張出部４４は、もう一方の張出部収容部７１側に収容された張出部４４とは梁Ｒの右端面に沿う同一面内に位置し、且つ一対の張出部４４は梁Ｒの高さ方向の中心を境にして対称に配置されている。また、一対の張出部４４の左側面４５は張出部収容部７１、７３の内側面に当接する状態となっている。
接合板３１を梁Ｒの上面側から接合板収容部６９に嵌め込み、梁Ｒの上側の側面に接合する状態とする。皿頭タイプの短寸法の雄ネジ７９を接合板３１の３つの大径穴３５へそれぞれ挿通し、２つの雌ネジ穴４７、ナット４９にそれぞれ螺合させて、接合板３１と張出部４４とを連結する。
【００３３】
次に、長寸法の雄ネジ８１を下側の接合板２５の大径穴２６、更に張出部４４の連通穴４６へ挿通して、インサートナット５０に螺合させる。また、長寸法の雄ネジ８１を上側の接合板３１の大径穴３３、更に張出部４４の連通穴４６へ挿通して、インサートナット５０に螺合させる。
連通穴４６、インサートナット５０、長寸法の雄ネジ８１によって張出部４４どうしが互いに連結されており、これらの部材は張出部４４を梁Ｒに固定する機能を兼ね備えている。
【００３４】
皿頭タイプの短寸法の雄ネジ８３を大径穴３９へ挿通し、ナット２４と螺合させる。
次いで、図８に示すように、小径穴２９、３７にそれぞれ木ネジ８５を挿通して梁Ｒにねじ込み、接合板２５、３１を梁Ｒに固定する。
【００３５】
次に、柱Ｓと梁Ｒとを接合する方法について図１０から１２にしたがって説明する。
梁Ｒをクレーン等で吊り上げて、梁Ｒに取り付けられた梁側本体部３の挿入板２２を、柱Ｓに取り付けられた柱側本体部２の挿入部１３の上方に位置させる。次に、梁Ｒを水平姿勢のまま下降させて、図１０に示すように挿入板２２を挿入部１３に入れる。
小径穴４１に皿頭タイプの短寸法の雄ネジ８６を挿入し、ボルト挿通穴９と螺合させ、接合板３１と柱側本体部２とを連結する。
【００３６】
一対の張出部４４の左側面４５は張出部収容部７１、７３の内側面に面どうしで当接しており、しかも、左側面４５の面積は、梁Ｒの端面の面積の約１５パーセントに設定されているので、柱Ｓから梁Ｒを引き抜こうとする力に対し抵抗力が発揮できて、この引き抜こうとする力が極めて大きい場合でも十分に耐えることが可能である。
また、一対の張出部４４はインサートナット５０、雄ネジ８１、雄ネジ８３、ナット４９等によって差し込み部２０、接合板３１と一体に連結された状態で梁Ｒに強固に固定されているので、梁側本体部３が梁Ｒから外れるのを完全に防止することができる。
さらに、多数の木ネジ８５によって接合板２５、３１を梁Ｒに固定しているため、梁側本体部３は梁Ｒに強固に接合することができる。
【００３７】
本発明の第二の実施の形態に係る木造建築物用の接合金具８７について、図１３から図１６にしたがって説明する。この木造建築物用の接合金具８７は、一方の躯体構成部材としての柱Ｓと、他方の躯体構成部材としての基礎Ｂとを接合する接合金具である。
木造建築物用の接合金具８７は、第一の実施の形態に係る木造建築物用の接合金具１と略同様の構成を有するので、同様の構成部分については木造建築物用の接合金具１と同じ符号を付し、その説明を省略する。
【００３８】
基礎側本体部８９の構成について説明する。
符号８９は第二本体部としての基礎側本体部を示し、この基礎側本体部８９は底板９１と、底板９１の左右の両端部に設けられた側板９５、底板９１の中間部に設けられた中間板９９及び天板１０１とから成っている。この基礎側本体部８９は前側と後側に開口を有している。
底板９１には２つのボルト挿通穴１０３が形成されており、２つのボルト挿通穴１０３は中間板９９の左右両側に配置されている。
【００３９】
柱側本体部９０の構成について説明する。
第二の実施の形態に係る第一本体部としての柱側本体部９０は第一の実施の形態に係る梁側本体部３の一点鎖線の部分（図１参照）から左側部分を備えおらず、支持板２１、挿入板２２、突出板２３を具備しない構成となっている。また接合板１０９は接合板３１より長さ寸法が短く、小径穴４１を有していない構成となっている。
差し込み部２０と接合板２５の下端面は、基礎側本体部８９の天板１０１の上面に固着されている。
【００４０】
柱Ｓの構成について説明する。
柱Ｓには溝１１５が形成されており、この溝１１５は柱側本体部収容部６３が形成されていないことを除いて、第一の実施の形態に係る梁Ｒと同様の構成を有している。即ち、溝１１５は第一の実施の形態に係る梁Ｒと同様に切り込み部６５、接合板収容部６７、６９、張出部収容部７１、７３、インサートナット収容部７５が形成されている。
【００４１】
木造建築物用の接合金具８７を柱Ｓに取付ける方法について図１４、１５にしたがって説明する。柱側本体部９０を柱Ｓに取付ける方法は第一の実施の形態に係る木造建築物用の接合金具１の梁側本体部３を梁Ｒに取り付ける方法と略同様であるので、同様の取付工程については説明を省略する。
【００４２】
ナット２４、接合板２５、１０９、短寸法の雄ネジ７９、長寸法の雄ネジ８１、短寸法の雄ネジ８３及び木ネジ８５によって、柱側本体部９０を柱Ｓに固定する第一固定手段が構成されている。
連通穴４６、インサートナット５０、長寸法の雄ネジ８１によって張出部４４どうしを互いに接合する張出部連結手段が構成されており、張出部連結手段を構成する部材は張出部４４を柱Ｓに固定する機能を兼ね備えている。
ナット２４、接合板２５、１０９、雌ネジ穴４７、ナット４９、短寸法の雄ネジ７９、長寸法の雄ネジ８１、短寸法の雄ネジ８３によって、張出部４４を差し込み部２０に固定する張出部固定手段が構成されている。
【００４３】
基礎Ｂについて説明する。
図１６に示すように基礎Ｂには２本のアンカーボルト１１７が埋設されており、これらのアンカーボルト１１７の先端部は基礎Ｂの上面から突出している。
【００４４】
次に、柱Ｓと基礎Ｂとを接合する方法について説明する。
柱Ｓをクレーン等で吊り上げて、基礎側本体部８９の底板９１を基礎Ｂの２つのアンカーボルト１１７の上方に位置させる。そして、基礎側本体部８９を下降させて底板９１に形成される２つのボルト挿通穴１０３へ、アンカーボルト１１７をそれぞれ通し、基礎側本体部８９を基礎Ｂに設置する。そして、アンカーボルト１１７の先端部に座金１１９をそれぞれ通し、更にナット１２１を螺合して、柱Ｓを基礎Ｂに接合する。
基礎Ｂには土台Ｄが設置され、基礎側本体部８９の天板１０１と土台Ｄは同じ高さとなっている。
ボルト挿通穴１０３、アンカーボルト１１７、座金１１９及びナット１２１によって、基礎側本体部８９を基礎Ｂに固定する第二固定手段が構成されている。
【００４５】
一対の張出部４４の左側面４５は張出部収容部７１、７３の内側面に面どうしで当接しており、しかも、左側面４５の面積は、柱Ｓの端面の面積の約１５パーセントに設定されているので、基礎Ｂから柱Ｓを引き抜こうとする力に対し抵抗力が発揮できて、この引き抜こうとする力が極めて大きい場合でも十分に耐えることが可能である。
しかも、一対の張出部４４はインサートナット５０、雄ネジ８１、雄ネジ８３、ナット４９等によって差し込み部２０、接合板１０９と一体に連結された状態で柱Ｓに強固に固定されているので、柱側本体部９０が柱Ｓから外れるのを完全に防止することができる。
さらに、多数の木ネジ８５によって接合板２５、１０９を柱Ｓに固定しているため、柱側本体部９０は柱Ｓに強固に接合することができる。
【００４６】
以上、本発明の実施の形態について詳述してきたが、具体的構成は、この実施の形態に限られるものではなく、本発明の要旨を逸脱しない範囲における設計の変更などがあっても発明に含まれる。
例えば、柱側本体部２の柱当接板４と梁側本体部３の接合板３１に形成されるボルト挿通穴５、小径穴２９、３７はいくつあってもよい。
また、平面部の面積は、第一の実施の形態においては梁Ｒ、第二の実施の形態においては柱Ｓの端面の面積の１５パーセントに設定されているが、本実施例に限定されず、平面部の面積は梁Ｒの端面の面積の１０パーセント〜４０パーセントの範囲に設定されていればよい。
【産業上の利用可能性】
【００４７】
木造建築物用の接合金具の製造業に使用可能性を有する。
【符号の説明】
【００４８】
１…木造建築物用の接合金具          ２…柱側本体部
３…梁側本体部                      ４…柱当接板
４ａ…凸部                          ５…ボルト挿通穴
６…底板                            ７…側板
９…ボルト挿通穴                  １１…凸条
１３…挿入部                        １５…インサートナット
１６…雌ネジ                        １７…ネジ山
１８…ボルト                        １９…Ｕ字型板
２０…差し込み部                    ２０ａ…切り欠き
２１…支持板                        ２２…挿入板
２３…突出板                        ２４…ナット
２５…接合板                        ２６、２７…大径穴
２９…小径穴                        ３１…接合板
３３、３５…大径穴                  ３７…小径穴
３９…大径穴                        ４１…小径穴
４２、４３…連結ブロック            ４４…張出部
４５…左側面                        ４６…連通穴
４７…雌ネジ穴                      ４８…取付片
４８ａ…切り欠き                      ４９…ナット
５０…インサートナット              ５１…雌ネジ
５２…ネジ山                        ５３…溝
５４…凹部                          ５５…連通穴
６１…溝                            ６３…柱側本体部収容部
６５…切り込み部                    ６７、６９…接合板収容部
７１、７３…張出部収容部            ７５…インサートナット収容部
７７…幅広部                        ７９…短寸法の雄ネジ
８１…長寸法の雄ネジ                ８３…短寸法の雄ネジ
８５…木ネジ                        ８６…短寸法の雄ネジ
８７…木造建築物用の接合金具        ８９…基礎側本体部
９０…柱側本体部                    ９１…底板
９５…側板                          ９９…中間板
１０１…天板                        １０３…ボルト挿通穴
１０９…接合板                      １１５…溝
１１７…アンカーボルト              １１９…座金
１２１…ナット
Ｓ…柱                              Ｒ…梁
Ｂ…基礎                            Ｄ…土台
【図１】
2014163174.tif 000003
【図２】
2014163174.tif 000004
【図３】
2014163174.tif 000005
【図４】
2014163174.tif 000006
【図５】
2014163174.tif 000007
【図６】
2014163174.tif 000008
【図７】
2014163174.tif 000009
【図８】
2014163174.tif 000010
【図９】
2014163174.tif 000011
【図１０】
2014163174.tif 000012
【図１１】
2014163174.tif 000013
【図１２】
2014163174.tif 000014
【図１３】
2014163174.tif 000015
【図１４】
2014163174.tif 000016
【図１５】
2014163174.tif 000017
【図１６】
2014163174.tif 000018